(57)【特許請求の範囲】
【請求項１】
十文字状ロック機構を載置する蓋を容器本体の開口部に装着して開閉可能に封止する密封容器であって、前記十文字状ロック機構が、上ロック板と下ロック板と二段十文字歯車とからなり、前記上ロック板は、両端部にロック凸部を設け、中央部に両側に対応するバネ部をもつ切欠き部を設け、該切欠き部を挟んで一組のつまみ部を横方向に対応させて立設し、前記下ロック板は、両端部にロック凸部を設け、中央部に両側に対応するバネ部をもつ切欠き部を設け、該切欠き部の横方向の周縁中央部に一組の嵌合突起部を対応させて設け、二段十文字歯車は、二つの一文字歯車を上方及び下方に交叉させて設け、該二段十文字歯車の上方の一文字歯車に、前記上ロック板を前記切欠き部の対応する外周を嵌合させて挿着し、下方の一文字歯車に、前記下ロック板を前記一組の嵌合突起部を嵌合させて挿着して組み立てた前記十文字状ロック機構を、蓋の天板の中央部に立設する軸部に、前記二段十文字歯車を回転自由に挿着して載置したことを特徴とする密封容器。
【発明の詳細な説明】
【０００１】
【発明の属する技術分野】
本発明は、四角形断面状の容器本体の開口部に蓋を冠着して、複数箇所をロックした密封容器に関するものである。
【０００２】
【従来の技術】
従来、例えば、ＩＣやＬＳＩチップを作成するシリコンウエハーなどは、キャリーに複数個セットされ、このキャリーごと四角形断面状のプラスチック製の密封容器本体に収容され、容器本体の開口部に冠着する蓋と容器本体とを複数箇所ロックして封止し、輸送されていた。なお、この密封容器は、形状の上からどうしても複数箇所のロック部を必要とした。
【０００３】
【発明が解決しようとする課題】
しかしながら、上述の従来の密封容器においては、開封するときに蓋の複数箇所のロック部を、支点を中心に外側へ回転させて、一つずつ手で開封しなければならず、開封作業が面倒であり、また、自動化も難しかった。
【０００４】
本発明は、上述の従来の密封容器の問題を解決したものであり、複数箇所のロック部をワンタッチで同時にロックを解除できる密封容器を提供するものである。
【０００５】
【課題を解決するための手段】
本発明は、図１（ａ）及び（ｂ）に示すように、十文字状ロック機構（１００）を載置する蓋（２００）を容器本体（３００）の開口部に装着して開閉可能に封止する密封容器（１０）であって、前記十文字状ロック機構（１００）が、図３に示すように、上ロック板（１１０）と下ロック板（１２０）と二段十文字歯車（１３０）とからなり、前記上ロック板（１１０）は、両端部にロック凸部（１１１）を設け、中央部に両側に対応するバネ部（１１３）をもつ切欠き部（１１２）を設け、該切欠き部を挟んで一組のつまみ部（１１４）を横方向に対応させて立設し、前記下ロック板（１２０）は、両端部にロック凸部（１２１）を設け、中央部に両側に対応するバネ部（１２３）をもつ切欠き部（１２２）を設け、該切欠き部の横方向の周縁中央部に一組の嵌合突起部（１２４）を対応させて設け、二段十文字歯車（１３０）は、二つの一文字歯車（１３１と１３２）を上方及び下方に交叉させて設け、該二段十文字歯車の上方の一文字歯車（１３１）に、前記上ロック板（１１０）を前記切欠き部（１１２）の対応する外周を嵌合させて挿着し、下方の一文字歯車（１３２）に、前記下ロック板（１２０）を前記一組の嵌合突起部（１２４）を嵌合させて挿着して組み立てた前記十文字状ロック機構（１００）を、図１（ａ）及び（ｂ）に示すように、蓋（２００）の天板（２１０）の中央部に立設する軸部（２１１）に、前記二段十文字歯車（１３０）を回転自由に挿着して載置したことを特徴とする密封容器（１０）である。
【０００６】
【作用】
本発明の密封容器（１０）は、図２（ａ）及び（ｂ）に示すように、蓋（２００）に載置する十文字状ロック機構（１００）の中央部に対応して立設する一組のつまみ部（１１４）を中心方向へ寄せる（矢印で図示）と、上ロック板（１１０）の中央部の切欠き部（１１２）と両側のバネ部（１１３）が中央方向へ潰され、上ロック板の両端のロック凸部（１１１）が中央側へ移動（矢印で図示）して、容器本体（３００）の周壁（３１０）上方に設けられたロック孔（３１１）から外れる。同時に、上ロック板の切欠き部（１１２）が中央方向へ潰れると、この切欠き部の対応する外周に嵌合する二段十文字歯車（１３０）の上方の一文字歯車（１３１）が、切欠き部の外周に押されて回転（矢印で図示）し、接続する下方の一文字歯車（１３２）も回転（矢印で図示）する。そして、下方の一文字歯車（１３２）が、下ロック板（１２０）の切欠き部（１２２）の横方向の周縁中央部に対応して設けられた一組の嵌合突起部（１２４）を押して、切欠き部（１２２）を中央方向へ潰す。このため、下ロック板の両端のロック凸部（１２１）が中央側へ移動（矢印で図示）して、容器本体（３００）の周壁（３１０）上方に設けられたロック孔（３１１）から外れて容器が開封する。つまり、蓋の中央に立設する一組のつまみ部を中心方向へ寄せるだけで、複数箇所を容器本体にロックする蓋をワンタッチでロックを解除して開封することができる。
【０００７】
また、つまみ部から中心方向へ寄せる外力を除くと、十文字状ロック機構の上ロック板及び下ロック板のそれぞれの切欠き部が、両側のバネ部の復元力によって元の形状に戻り、両端のロック凸部が外側へ移動して元の状態になり、同時に、下ロック板の切欠き部の周縁中央部に対応して設けられた嵌合突起部によって二段十文字歯車の下方の一文字歯車が回転し、二段十文字歯車も元の状態に戻る。
【０００８】
【発明の実施の形態】
本発明の密封容器（１０）は、図１（ａ）及び（ｂ）に示すように、十文字状ロック機構（１００）を載置する蓋（２００）を容器本体（３００）の開口部に装着して開閉可能に封止するものである。
【０００９】
上述の一実施形態の容器本体（３００）は、図２（ａ）及び（ｂ）に示すように、四角形断面状であり、その開口部に蓋とのリング状の当接面をもち、この当接面に密封機能を付与するためにＯリング嵌入溝（３１２）を設けてＯリング（４００）を嵌着するものであり、また、蓋との当接面の上方の周壁に十文字状ロック機構のロック凸部（１１１，１２１）が嵌入するロック孔（３１１）を設けるものである。そして、通常では、透明で剛性をもつ熱可塑性樹脂を射出成形して作製するものである。
【００１０】
次に、一実施形態の蓋（２００）は、図１（ａ）及び（ｂ）に示すように、四角形断面状であり、天板（２１０）の中心部に十文字状ロック機構の二段十文字歯車を回転自由に挿着する軸部（２１１）を立設し、周壁（２２０）に十文字状ロック機構のロック凸部が貫通する貫通孔（２２１）を設けものである。そして、通常では、剛性をもつ熱可塑性樹脂を射出成形して作製するものである。
【００１１】
次に、十文字状ロック機構（１００）は、図３に示すように、上ロック板（１１０）と下ロック板（１２０）と二段十文字歯車（１３０）とから構成されるものであり、これらの構成部材は、通常では、剛性と弾性をもつ熱可塑性樹脂を射出成形して作製するものである。
【００１２】
上述の一実施形態の上ロック板（１１０）は、図３に示すように、両端部に通常２個ずつのロック凸部（１１１）を設け、中央部に両側に対応する通常外側へ弧状に張り出すバネ部（１１３）をもつ切欠き部（１１２）を設け、この切欠き部を挟んで一組のつまみ部（１１４）を横方向に対応させて立設するものである。なお、ロック凸部の個数は、２個に限ることはなく、任意の個数でよい。
【００１３】
次に、一実施形態の下ロック板（１２０）は、図３に示すように、両端部に通常２個ずつのロック凸部（１２１）を設け、中央部に両側に対応する通常外側へ弧状に張り出すバネ部（１２３）をもつ切欠き部（１２２）を設け、この切欠き部の横方向の周縁中央部に一組の嵌合突起部（１２４）を対応させて設けるものである。なお、ロック凸部の個数は、２個に限ることはなく、任意の個数でよい。
【００１４】
次に、一実施形態の二段十文字歯車（１３０）は、図３に示すように、二つの一文字歯車（１３１と１３２）を上方及び下方に交叉させて設けるものである。
【００１５】
次に、十文字状ロック機構の組み立ては、図４に示すように、二段十文字歯車の上方の一文字歯車（１３１）に、上ロック板（１１０）を切欠き部（１１２）の対応する外周を嵌合させて挿着し、下方の一文字歯車（１３２）に、下ロック板（１２０）を一組の嵌合突起部（１２４）を嵌合させて挿着して組み立てたるものである。
【００１６】
次に、上述の十文字状ロック機構（１００）を、図１（ａ）及び（ｂ）に示すように、ロック凸部（１１１，１２１）を蓋（２００）の周壁（２２０）の貫通孔（２２１）に挿着し、二段十文字歯車（１３０）を蓋の天板（２１０）の中央部に立設する軸部（２１１）に回転自由に挿着して載置するものである。そして、この蓋を、十文字状ロック機構の中央部に対応して立設する一組のつまみ部（１１４）を中心方向へ寄せて突出するロック凸部を引っ込めて、容器本体（３００）の開口部に冠着したのち、つまみ部から中心方向へ寄せる外力を除いて、ロック凸部を突出させ、容器本体の周壁（３１０）のロック孔（３１１）に嵌入させて本実施形態の密封容器（１０）を作製するものである。
【００１７】
なお、上述の十文字状ロック機構を天板に載置した蓋で容器本体の開口部を封止した本実施形態の密封容器は、通常の流通、保管過程では開封することがなかったが、蓋の中央部に対応して立設された一組のつまみ部を指でつまんで中央方向へ移動させるだけで、容易に複数の蓋と容器本体との複数箇所のロックを解除して容器を開封することができた。
【００１８】
【発明の効果】
本発明の密封容器は、蓋に載置する十文字状ロック機構の中央部に対応して立設する一組のつまみ部を中心方向へ寄せるだけで、複数箇所を容器本体にロックする蓋をワンタッチでロックを解除して開封することができる。このため、手による開封作業が容易であり、また、開封作業を自動化することも容易である。
【図面の簡単な説明】
【図１】（ａ）は、本発明の一実施形態の密封容器をロックしたときの十文字状ロック機構の状態を示す説明図であり、（ｂ）は、上ロック板が容器本体にロックしている状態を示す説明図である。
【図２】（ａ）は、図１に示す密封容器のロックを解除したときの十文字状ロック機構の状態を示す説明図であり、（ｂ）は、上ロック板が容器本体のロックを解除したときの状態を示す説明図である。
【図３】図１に示す密封容器の蓋に載設した十文字状ロック機構の構成を示す分解斜視図である。
【図４】図３に示す十文字状ロック機構の組み立て斜視図である。
【符号の説明】
１０……密封容器
１００……十文字状ロック機構
１１０……上ロック板
１１１，１２１……ロック凸部
１１２，１２２……切欠き部
１１３，１２３……バネ部
１１４……つまみ部
１２０……下ロック板
１２４……嵌合突起部
１３０……二段十文字歯車
１３１，１３２……一文字歯車
２００……蓋
２１０……天板
２１１……軸部
２２０……周壁
２２１……貫通孔
３００……容器本体
３１０……周壁
３１１……ロック孔
３１２……Ｏリング嵌入溝
４００……Ｏリング
【図１】
0003551010.tif 000002
【図２】
0003551010.tif 000003
【図３】
0003551010.tif 000004
【図４】
0003551010.tif 000005